(57)【要約】【課題】作業者の負担を軽減することができるにおい測定装置及びにおい測定用プログラムを提供する。【解決手段】におい嗅ぎ機構によりにおいを嗅いでにおい情報を入力する際、入力部による入力を受け付けるための入力画面２２０を表示部に表示させる。当該入力画面２２０には、過去の分析時に入力部により入力されて記憶部に記憶されているにおい情報を、各試料成分のにおいを測定した時間情報（開始時間及び終了時間）とともに表示させる。これにより、におい情報が既に入力されている試料成分がにおい嗅ぎ機構に到達するタイミングを予め認識した上で、他の試料成分のにおいを嗅ぐことができるため、分析中、作業者が常に集中してにおいを嗅ぐ必要がなくなり、作業者の負担を軽減することができる。【選択図】  図３
2015025779.tif 000002
【特許請求の範囲】
【請求項１】
分析中にカラムで分離させた各試料成分のにおいを測定するためのにおい測定装置であって、
カラムで分離させた各試料成分のにおいを嗅ぐためのにおい嗅ぎ機構と、
前記におい嗅ぎ機構により嗅いだにおいに関するにおい情報を入力するための入力部と、
前記入力部により入力されたにおい情報を記憶する記憶部と、
前記入力部により入力されたにおい情報を表示可能な表示部と、
分析中に前記入力部による入力を受け付けるための入力画面を前記表示部に表示させる表示処理部とを備え、
前記入力部により入力されるにおい情報には、各試料成分のにおいを測定した時間情報が含まれており、
前記表示処理部は、前記記憶部に記憶されている過去の分析時に前記入力部により入力されたにおい情報を読み出して、前記入力画面に表示させることを特徴とするにおい測定装置。
【請求項２】
過去の分析時に前記入力部により入力されたにおい情報が前記表示処理部により前記入力画面に表示された状態で、前記入力部により新たなにおい情報が入力された場合に、過去のにおい情報及び新たなにおい情報を１つのデータファイルとして前記記憶部に記憶させるデータ処理部をさらに備えたことを特徴とする請求項１に記載のにおい測定装置。
【請求項３】
前記入力部により入力された入力画面上のにおい情報を画像データとして前記記憶部に記憶させる画像処理部をさらに備えたことを特徴とする請求項１又は２に記載のにおい測定装置。
【請求項４】
前記入力部は、手書きで入力するための手書き入力部を有し、
前記画像データには、前記手書き入力部により入力された手書きの画像データが含まれることを特徴とする請求項３に記載のにおい測定装置。
【請求項５】
前記表示処理部は、前記記憶部に記憶されているにおい情報を閲覧するための閲覧画面を前記表示部に表示させることができ、
前記閲覧画面には、各におい情報が時間情報とともに表示され、当該閲覧画面に表示されている任意のにおい情報が選択された場合に、そのにおい情報に対応する画像データが表示されることを特徴とする請求項３又は４に記載のにおい測定装置。
【請求項６】
カラムで分離させた各試料成分を検出するための検出部をさらに備え、
前記表示処理部は、前記入力部により入力されたにおい情報及び前記検出部による検出結果のそれぞれについての時間経過に伴う変化を、１つのグラフに重ね合せて前記閲覧画面に表示させることを特徴とする請求項５に記載のにおい測定装置。
【請求項７】
分析中にカラムで分離させた各試料成分のにおいを測定するためのにおい測定用プログラムであって、
におい情報を入力するための入力画面を表示部に表示させる表示処理部と、
前記入力画面に対するにおい情報の入力を受け付ける入力受付処理部と、
分析中に前記入力受付処理部で入力を受け付けたにおい情報を、各試料成分のにおいを測定した時間情報とともに記憶部に記憶させるデータ処理部としてコンピュータを機能させ、
前記表示処理部は、前記記憶部に記憶されている過去の分析時に前記入力受付処理部により入力を受け付けたにおい情報を読み出して、前記入力画面に表示させることを特徴とするにおい測定用プログラム。
【発明の詳細な説明】
【技術分野】
【０００１】
本発明は、分析中にカラムで分離させた各試料成分のにおいを測定するためのにおい測定装置及びにおい測定用プログラムに関するものである。
【背景技術】
【０００２】
におい測定装置を用いて、分析中にカラムで分離させた各試料成分のにおいを作業者が嗅ぎ、それぞれのにおいを評価することにより、においとクロマトグラムとの関係を表すにおいクロマトグラムを作成する場合がある（例えば、下記特許文献１参照）。このような場合には、におい測定装置に備えられたにおい嗅ぎ機構を用いて、作業者が順次に分離される各試料成分のにおいを嗅ぐこととなる。
【先行技術文献】
【特許文献】
【０００３】
【特許文献１】特開２０１２−１７７５８４号公報
【発明の概要】
【発明が解決しようとする課題】
【０００４】
しかしながら、従来のにおい測定装置を用いて各試料成分のにおいを評価するためには、分析中、作業者が常に集中してにおいを嗅ぐ必要があった。すなわち、未知の試料の分析時には、いずれのタイミングでにおいが生じるか分からないため、作業者は、集中していなければ、においを嗅ぎ忘れたり、評価を誤ったりするおそれがあった。そのため、作業者にとっては疲労がたまりやすく、長時間にわたって集中して作業することは困難であり、疲労からミスが生じることもあった。
【０００５】
本発明は、上記実情に鑑みてなされたものであり、作業者の負担を軽減することができるにおい測定装置及びにおい測定用プログラムを提供することを目的とする。
【課題を解決するための手段】
【０００６】
本発明に係るにおい測定装置は、分析中にカラムで分離させた各試料成分のにおいを測定するためのにおい測定装置であって、カラムで分離させた各試料成分のにおいを嗅ぐためのにおい嗅ぎ機構と、前記におい嗅ぎ機構により嗅いだにおいに関するにおい情報を入力するための入力部と、前記入力部により入力されたにおい情報を記憶する記憶部と、前記入力部により入力されたにおい情報を表示可能な表示部と、分析中に前記入力部による入力を受け付けるための入力画面を前記表示部に表示させる表示処理部とを備え、前記入力部により入力されるにおい情報には、各試料成分のにおいを測定した時間情報が含まれており、前記表示処理部は、前記記憶部に記憶されている過去の分析時に前記入力部により入力されたにおい情報を読み出して、前記入力画面に表示させることを特徴とする。
【０００７】
このような構成によれば、におい嗅ぎ機構によりにおいを嗅いでにおい情報を入力する際、入力部による入力を受け付けるための入力画面に、過去の分析時に入力されたにおい情報を、各試料成分のにおいを測定した時間情報とともに表示させることができる。これにより、におい情報が既に入力されている試料成分がにおい嗅ぎ機構に到達するタイミングを予め認識した上で、他の試料成分のにおいを嗅ぐことができるため、分析中、作業者が常に集中してにおいを嗅ぐ必要がなくなり、作業者の負担を軽減することができる。
【０００８】
前記におい測定装置は、過去の分析時に前記入力部により入力されたにおい情報が前記表示処理部により前記入力画面に表示された状態で、前記入力部により新たなにおい情報が入力された場合に、過去のにおい情報及び新たなにおい情報を１つのデータファイルとして前記記憶部に記憶させるデータ処理部をさらに備えていてもよい。
【０００９】
このような構成によれば、過去のにおい情報に新たなにおい情報を追加して１つのデータファイルとすることができるため、一度の分析で全ての試料成分のにおいを嗅いで評価しなくても、複数回の分析によりにおい情報のデータファイルを完成させることができる。したがって、分析中、作業者が集中してにおいを嗅ぐ必要性がさらに低くなるため、作業者の負担をより軽減することができる。
【００１０】
前記におい測定装置は、前記入力部により入力された入力画面上のにおい情報を画像データとして前記記憶部に記憶させる画像処理部をさらに備えていてもよい。
【００１１】
このような構成によれば、入力部により入力された入力画面上のにおい情報が、画像データとして記憶部に記憶されるため、におい情報が改竄される可能性が低減し、信頼性の高いにおい情報を得ることができる。
【００１２】
前記入力部は、手書きで入力するための手書き入力部を有していてもよい。この場合、前記画像データには、前記手書き入力部により入力された手書きの画像データが含まれることが好ましい。
【００１３】
このような構成によれば、手書きで入力したにおい情報が、画像データとして記憶部に記憶されるため、におい情報が改竄される可能性がさらに低減する。また、におい情報を手書きで自由に入力することができるため、より幅広い表現でにおい情報を入力することができるとともに、入力時の状況を後で作業者が思い出しやすく、作業性が向上する。
【００１４】
前記表示処理部は、前記記憶部に記憶されているにおい情報を閲覧するための閲覧画面を前記表示部に表示させることができてもよい。この場合、前記閲覧画面には、各におい情報が時間情報とともに表示され、当該閲覧画面に表示されている任意のにおい情報が選択された場合に、そのにおい情報に対応する画像データが表示されることが好ましい。
【００１５】
このような構成によれば、閲覧画面でにおい情報を閲覧し、任意のにおい情報を選択することにより、そのにおい情報に対応する画像データを表示させることができる。これにより、画像データを容易に閲覧することができるため、作業性がさらに向上する。
【００１６】
前記におい測定装置は、カラムで分離させた各試料成分を検出するための検出部をさらに備えていてもよい。この場合、前記表示処理部は、前記入力部により入力されたにおい情報及び前記検出部による検出結果のそれぞれについての時間経過に伴う変化を、１つのグラフに重ね合せて前記閲覧画面に表示させることが好ましい。
【００１７】
このような構成によれば、入力部により入力されたにおい情報及び検出部による検出結果のそれぞれについての時間経過に伴う変化が、１つのグラフに重ね合せて閲覧画面に表示されるため、各試料成分についてのにおい情報の対応関係が分かりやすく、作業性がさらに向上する。
【００１８】
本発明に係るにおい測定用プログラムは、分析中にカラムで分離させた各試料成分のにおいを測定するためのにおい測定用プログラムであって、におい情報を入力するための入力画面を表示部に表示させる表示処理部と、前記入力画面に対するにおい情報の入力を受け付ける入力受付処理部と、分析中に前記入力受付処理部で入力を受け付けたにおい情報を、各試料成分のにおいを測定した時間情報とともに記憶部に記憶させるデータ処理部としてコンピュータを機能させ、前記表示処理部は、前記記憶部に記憶されている過去の分析時に前記入力受付処理部により入力を受け付けたにおい情報を読み出して、前記入力画面に表示させることを特徴とする。
【発明の効果】
【００１９】
本発明によれば、分析中、作業者が常に集中してにおいを嗅ぐ必要がなくなるため、作業者の負担を軽減することができる。
【図面の簡単な説明】
【００２０】
【図１】本発明の一実施形態に係るにおい測定装置の構成例を示した概略図である。
【図２】データ処理装置の構成例を示したブロック図である。
【図３】表示部に表示される入力画面の一例を示した図である。
【図４】におい情報を入力する際の制御部による処理の一例を示したフローチャートである。
【図５】表示部に表示される閲覧画面の一例を示した図である。
【発明を実施するための形態】
【００２１】
図１は、本発明の一実施形態に係るにおい測定装置の構成例を示した概略図である。本実施形態に係るにおい測定装置は、ガスクロマトグラフ質量分析装置（ＧＣ／ＭＳ１）と、当該ＧＣ／ＭＳ１に接続されたデータ処理装置２とを備えている。ＧＣ／ＭＳ１には、ガスクロマトグラフ部（ＧＣ部１１）と質量分析部（ＭＳ部１２）とが含まれる。
【００２２】
ＧＣ部１１には、カラム１１１、試料導入部１１２及びカラムオーブン１１３などが備えられている。カラム１１１は、例えばキャピラリカラムからなる。試料導入部１１２内には試料気化室（図示せず）が形成されており、この試料気化室に液体試料が注入され、試料気化室内で気化された試料成分が、キャリアガスとともにカラム１１１内に供給されるようになっている。
【００２３】
カラム１１１は、カラムオーブン１１３内に収容されている。カラムオーブン１１３内には、ヒータ（図示せず）が設けられており、当該ヒータを用いてカラムオーブン１１３内の空気を加熱することにより、カラム１１１を加熱しながら分析を行うことができるようになっている。分析中、試料導入部１１２からキャリアガスとともにカラム１１１内に供給された各試料成分は、カラム１１１を通過する過程で試料成分ごとに分離され、ＭＳ部１２へと導かれる。
【００２４】
本実施形態では、カラム１１１からＭＳ部１２に向かう試料成分の流路の途中に、におい嗅ぎ機構３が接続されている。作業者は、におい嗅ぎ機構３を鼻に近づけた状態で分析を行うことにより、カラム１１１で分離させた各試料成分のにおいを測定することができる。
【００２５】
ＭＳ部１２には、分析室１２１が形成されており、当該分析室１２１内にイオン源１２２、イオンレンズ１２３、四重極フィルタ１２４及び検出器１２５などが設けられている。分析中、分析室１２１内は真空状態とされ、ＧＣ／ＭＳ１のカラム１１１から分析室１２１内に順次供給される各試料成分が、イオン源１２２における電子との衝突や化学反応などによりイオン化される。
【００２６】
イオン源１２２において発生したイオンは、イオンレンズ１２３により収束されるとともに適度に加速された後、四重極フィルタ１２４内の空間を通過する。四重極フィルタ１２４には、直流電圧と高周波電圧とを重畳した電圧が印加されており、印加電圧に応じた質量電荷比（質量ｍ／電荷ｚ）のイオンのみが選択的に通過して、検出器１２５に到達する。このとき、四重極フィルタ１２４を通過するイオンの質量電荷比は印加電圧に依存するため、印加電圧を走査することにより、特定の質量電荷比のイオンにおけるイオン強度信号を検出器１２５で検出することができる。これにより、カラム１１１で分離させた各試料成分が、検出部としての検出器１２５により検出されることとなる。
【００２７】
データ処理装置２は、例えばコンピュータにより構成され、ＭＳ部１２の検出器１２５からの信号が入力されるようになっている。また、作業者は、におい嗅ぎ機構３により嗅いだにおいに関する情報（におい情報）を、データ処理装置２に入力することができる。データ処理装置２は、これらの検出器１２５からの入力信号や、作業者により入力されたにおい情報などのデータを処理する。
【００２８】
図２は、データ処理装置２の構成例を示したブロック図である。データ処理装置２は、制御部２１、表示部２２、記憶部２３及び入力部２４などを備えている。制御部２１は、例えばＣＰＵ（Central Processing Unit）を含む構成であり、ＣＰＵがプログラムを実行することにより、表示処理部２１１、画像処理部２１２、データ処理部２１３及び入力受付処理部２１４などとして機能する。
【００２９】
表示部２２は、例えば液晶表示器により構成され、におい情報などの各種情報を表示画面に表示することができる。記憶部２３は、例えばハードディスク、ＲＯＭ（Read Only Memory）及びＲＡＭ（Random Access Memory）により構成され、におい情報などを含む各種データを記憶することができる。
【００３０】
入力部２４には、例えばキーボード及びマウスが含まれる。本実施形態では、例えばタブレット端末により構成される手書き入力部２４１が入力部２４に含まれており、作業者は、キーボードやマウスを用いた入力操作だけでなく、手書き入力部２４１を用いた手書きによる入力操作も行うことができるようになっている。ただし、手書き入力部２４１は、タブレット端末により構成されるものに限らず、例えば感圧式又は静電容量式のタッチパネルを備えた他の装置により構成されるものであってもよい。
【００３１】
分析中は、作業者がにおい嗅ぎ機構３でにおいを嗅ぎながら入力部２４を操作することにより、嗅いだにおいに関するにおい情報を入力することができる。入力部２４により入力されたにおい情報は、記憶部２３に記憶されるとともに、表示部２２に表示させることができる。
【００３２】
表示処理部２１１は、表示部２２への表示に関する処理を行う。具体的には、ＧＣ／ＭＳ１の検出器１２５からの入力信号や、記憶部２３に記憶されているデータなどに基づいて、表示処理部２１１が表示部２２への表示態様を制御する。分析中は、当該表示処理部２１１の処理により、入力部２４による入力を受け付けるための入力画面が表示部２２に表示されるようになっている。また、分析終了後に、表示処理部２１１は、記憶部２３に記憶されているにおい情報を閲覧するための閲覧画面を表示部２２に表示させることができる。
【００３３】
画像処理部２１２は、表示処理部２１１により表示部２２に表示される画像データを記憶部２３に記憶させる処理を行う。本実施形態では、入力部２４により入力された入力画面上のにおい情報を、画像処理部２１２により画像データとして記憶部２３に記憶させることができるようになっている。このとき、手書き入力部２４１による入力が行われた場合には、入力画面上に入力された手書きの画像データが記憶部２３に記憶されることとなる。
【００３４】
入力部２４を用いた入力画面に対するにおい情報の入力は、入力受付処理部２１４により受け付けられ、分析中に入力受付処理部２１４で入力を受け付けたにおい情報は、データ処理部２１３により記憶部２３に記憶される。また、データ処理部２１３は、記憶部２３に記憶されているにおい情報を読み出して処理を行い、処理後のデータを記憶部２３に記憶（上書き保存）させることもできる。におい情報としては、例えばにおいの強さ（におい強度）、においに関するコメント（コメント情報）、においを測定した時間（時間情報）、及び、画像データ（手書きの画像データを含む。）などが試料成分ごとに対応付けられた状態で記憶部２３に記憶されるようになっている。
【００３５】
図３は、表示部２２に表示される入力画面２２０の一例を示した図である。この例における入力画面２２０には、開始キー２２１、終了キー２２２、保存キー２２３、強度キー２２４、コメントキー２２５、手書き入力領域２２６、におい情報表示領域２２７及びステータス表示領域２２８などが含まれている。
【００３６】
開始キー２２１、終了キー２２２、保存キー２２３、強度キー２２４及びコメントキー２２５は、作業者が入力部２４を操作することにより選択することができる。また、手書き入力領域２２６は、手書き入力部２４１として機能するものであり、作業者が手書き入力領域２２６をタッチして手書きで直接入力することにより、入力された手書き画像が手書き入力領域２２６に表示されるようになっている。ステータス表示領域２２８には、「分析待ち」などのステータスが表示され、分析中は各試料成分のリテンションタイムが表示される。
【００３７】
作業者は、におい嗅ぎ機構３でにおいを嗅ぎながら分析を行い、においの開始を知覚した時点で開始キー２２１を選択する。これにより、タイマ（図示せず）による計時が開始され、その後に作業者がにおいの終了を知覚して終了キー２２２を選択した時点で、タイマによる計時が終了する。作業者は、開始キー２２１を選択してから終了キー２２２を選択するまでの間に、強度キー２２４、コメントキー２２５及び手書き入力領域２２６などを用いることにより、知覚したにおいに関する情報をにおい情報として入力することができる。
【００３８】
強度キー２２４は、においの強度を入力するためのキーであり、この例では、各強度に対応する複数の強度キー２２４が設けられている。具体的には、弱い強度と、強い強度と、それらの中間の強度とについて、それぞれ２段階の強度が設定されることにより、合計６つの強度キー２２４が設けられている。ただし、このような構成に限らず、強度キー２２４の数が５つ以下又は７つ以上であってもよいし、所定の強度範囲内で任意の強度を指定できるような構成であってもよい。
【００３９】
コメントキー２２５は、においに関するコメントを入力するためのキーであり、この例では、においの種類に対応する複数のコメントキー２２５が設けられている。具体的には、「くさい」、「カビ」、「甘い」、「レモン」、「はじめて」、「青い」などのコメントに対応するコメントキー２２５が設けられており、作業者は、嗅いだにおいに近いコメントキー２２５を選択することとなる。ただし、コメントキー２２５の種類は、図３に例示された種類に限られるものではなく、他の種類のコメントキー２２５が設けられていてもよいし、任意の種類のコメントキー２２５を設定して表示させることができるようになっていてもよい。
【００４０】
作業者は、順次に知覚する各試料成分のにおいについて、それぞれにおい情報を入力した後、保存キー２２３を選択することにより、入力したにおい情報を記憶部２３に記憶させることができる。このとき、手書き入力領域２２６に表示されている画像データは、例えばＪＰＥＧ形式などによる圧縮データに変換された上で、におい情報として記憶部２３に記憶されるようになっている。
【００４１】
記憶部２３に記憶されたにおい情報は、その後の分析時に読み出して、におい情報表示領域２２７ににおい情報ごとに表示させることができ、表示されたにおい情報（開始時間、終了時間、強度、成分名、コメント情報など）を確認しながら、その他の試料成分のにおいを評価することができる。したがって、一度の分析で全ての試料成分のにおいを評価する必要はなく、複数回の分析を行い、その度ににおい情報を追加することができる。
【００４２】
このように、本実施形態では、記憶部２３に記憶されている過去の分析時に入力部２４により入力されたにおい情報を読み出して、入力画面２２０（におい情報表示領域２２７）に表示させることができる。すなわち、におい嗅ぎ機構３によりにおいを嗅いでにおい情報を入力する際、入力部２４による入力を受け付けるための入力画面２２０に、過去の分析時に入力されたにおい情報を、各試料成分のにおいを測定した時間情報（開始時間及び終了時間）とともに表示させることができるようになっている。
【００４３】
これにより、におい情報が既に入力されている試料成分がにおい嗅ぎ機構３に到達するタイミングを予め認識した上で、他の試料成分のにおいを嗅ぐことができるため、分析中、作業者が常に集中してにおいを嗅ぐ必要がなくなり、作業者の負担を軽減することができる。
【００４４】
本実施形態では、過去の分析時に入力部２４により入力されたにおい情報がにおい情報表示領域２２７に表示された状態で、入力部２４により新たなにおい情報が入力された場合に、データ処理部２１３が、過去のにおい情報及び新たなにおい情報を１つのデータファイルとして記憶部２３に記憶させるようになっている。
【００４５】
このように、過去のにおい情報に新たなにおい情報を追加して１つのデータファイルとすることができるため、一度の分析で全ての試料成分のにおいを嗅いで評価しなくても、複数回の分析によりにおい情報のデータファイルを完成させることができる。したがって、分析中、作業者が集中してにおいを嗅ぐ必要性がさらに低くなるため、作業者の負担をより軽減することができる。
【００４６】
また、本実施形態では、入力部２４により入力された入力画面２２０上（手書き入力領域２２６）のにおい情報が、画像データとして記憶部２３に記憶されるため、におい情報が改竄される可能性が低減し、信頼性の高いにおい情報を得ることができる。特に、本実施形態では、手書き入力領域２２６に手書きで入力したにおい情報が、画像データとして記憶部２３に記憶されるため、におい情報が改竄される可能性がさらに低減する。また、におい情報を手書きで自由に入力することができるため、より幅広い表現でにおい情報を入力することができるとともに、入力時の状況を後で作業者が思い出しやすく、作業性が向上する。
【００４７】
図４は、におい情報を入力する際の制御部２１による処理の一例を示したフローチャートである。分析時には、におい情報を読み出すための操作が作業者により行われた場合に（ステップＳ１０１でＹｅｓ）、記憶部２３から過去の分析時に入力されたにおい情報が読み出され、入力画面２２０のにおい情報表示領域２２７に表示される（ステップＳ１０２）。
【００４８】
分析中、作業者がにおいの開始を知覚し、開始キー２２１を選択した場合には（ステップＳ１０３でＹｅｓ）、終了キー２２２が選択されるまで、強度キー２２４、コメントキー２２５及び手書き入力領域２２６などを用いたにおい情報の入力が受け付けられる（ステップＳ１０４）。そして、終了キー２２２が選択された場合には（ステップＳ１０５でＹｅｓ）、そのにおいについての測定は終了し、その後に作業者が新たなにおいの開始を知覚すれば、ステップＳ１０３〜Ｓ１０５の処理が繰り返される。
【００４９】
このようにして、分析中にカラムで分離させた各試料成分のにおいが順次に測定された後、保存キー２２３が選択された場合には（ステップＳ１０６でＹｅｓ）、その分析についてのにおい情報が１つのデータファイルとして記憶部２３に記憶される（ステップＳ１０７）。
【００５０】
すなわち、過去の分析時に入力されたにおい情報が記憶部２３から読み出されている場合には、この過去のにおい情報に、新たに入力されたにおい情報が追加された１つのデータファイルが記憶部２３に記憶される。一方、過去の分析時に入力されたにおい情報が記憶部２３から読み出されていない場合には、新たに入力されたにおい情報のみが１つのデータファイルとして記憶部２３に記憶される。なお、過去のにおい情報と同じにおいについて、新たににおい情報が入力された場合には、一方を選択して削除することができるようになっていてもよい。
【００５１】
図５は、表示部２２に表示される閲覧画面２３０の一例を示した図である。作業者は、例えば記憶部２３に記憶されているにおい情報のデータファイルを選択する操作を行うことにより、当該におい情報を閲覧するための閲覧画面２３０を表示部２２に表示させることができる。この例における閲覧画面２３０には、におい情報表示領域２３１、画像データ表示領域２３２及びグラフ表示領域２３３などが含まれている。
【００５２】
におい情報表示領域２３１には、記憶部２３から読み出したにおい情報（開始時間、終了時間、強度、成分名、コメント情報など）が表示される。このように、本実施形態では、各におい情報が時間情報（開始時間及び終了時間）とともに表示されている。作業者は、におい情報表示領域２３１に表示されている各におい情報を閲覧し、任意のにおい情報を選択することにより、そのにおい情報に対応付けて記憶部２３に記憶されている画像データを読み出して、画像データ表示領域２３２に表示させることができる。これにより、画像データを容易に閲覧することができるため、作業性がさらに向上する。
【００５３】
本実施形態では、図３の入力画面２２０において開始キー２２１、終了キー２２２、保存キー２２３、強度キー２２４及びコメントキー２２５を選択することにより入力されたにおい情報が、手書き入力部２４１により入力された手書き画像とともに画像データとして記憶部２３に記憶されるようになっている。したがって、図５に示すように、画像データ表示領域２３２には、手書き画像以外のにおい情報も含めて画像データとして表示されるため、作業者がにおい情報を確認しやすい。
【００５４】
グラフ表示領域２３３には、横軸を時間、縦軸を検出器１２５の検出強度（例えば吸光度）とするクロマトグラムＧ１が、検出器１２５による検出結果として表示される。また、グラフ表示領域２３３には、横軸を時間、縦軸をにおい情報の強度とするグラフＧ２が、クロマトグラムＧ１と同じ時間軸上に表示される。
【００５５】
すなわち、本実施形態では、入力部２４により入力されたにおい情報及び検出器１２５による検出結果のそれぞれについての時間経過に伴う変化が、１つのグラフに重ね合せてグラフ表示領域２３３に表示されるようになっている。これにより、各試料成分についてのにおい情報の対応関係が分かりやすく、作業性がさらに向上する。
【００５６】
以上の実施形態では、におい測定装置が、ＧＣ／ＭＳ１と、当該ＧＣ／ＭＳ１に接続されたデータ処理装置２とを備えた構成について説明した。しかし、ＧＣ部１１とＭＳ部１２とを含むＧＣ／ＭＳ１ではなく、ＧＣ部１１のみを含むガスクロマトグラフにデータ処理装置２が接続された構成であってもよい。また、各試料成分をカラム１１１で分離させるための機構とデータ処理装置２とが一体的に構成されたにおい測定装置であってもよい。
【００５７】
また、以上の実施形態では、におい測定装置の具体的構成について説明したが、コンピュータをにおい測定装置として機能させるためのプログラム（におい測定用プログラム）を提供することも可能である。この場合、上記プログラムは、記憶媒体に記憶された状態で提供されるような構成であってもよいし、プログラム自体が提供されるような構成であってもよい。
【符号の説明】
【００５８】
１    ＧＣ／ＭＳ
２    データ処理装置
３    におい嗅ぎ機構
１１    ＧＣ部
１２    ＭＳ部
２１    制御部
２２    表示部
２３    記憶部
２４    入力部
１１１    カラム
１１２    試料導入部
１１３    カラムオーブン
１２１    分析室
１２２    イオン源
１２３    イオンレンズ
１２４    四重極フィルタ
１２５    検出器
２１１    表示処理部
２１２    画像処理部
２１３    データ処理部
２１４    入力受付処理部
２２０    入力画面
２３０    閲覧画面
２４１    手書き入力部
【図１】
2015025779.tif 000003
【図２】
2015025779.tif 000004
【図３】
2015025779.tif 000005
【図４】
2015025779.tif 000006
【図５】
2015025779.tif 000007